(57)【要約】【課題】本発明は、透明樹脂基板、その中でも特に外力による複屈折の変化、即ち光弾性係数の小さいアクリル系透明樹脂基板に、ハードコート層を設け、その上に金属酸化物膜を形成することにより、プラズマディスプレイ用光学フィルターに最適な光学特性、金属酸化物膜と透明基板の密着性に優れた金属酸化物積層体、および透明電極に最適な光学特性、透明導電膜との密着性およびシート抵抗値の安定性の良好な金属酸化物積層体を提供することにある。【解決手段】基材にアクリル系樹脂およびスチレン系樹脂の樹脂組成物を用いる事により、この透明基板上に金属酸化物膜を直接形成することができ、光学特性、金属酸化物膜と透明基板の密着性に優れた金属酸化物膜積層体を得る事が出来る。またハードコート層の形成を容易にしてさらにハードコート層を被覆する事で表面硬度を高めて金属酸化物膜を形成することにより、光学特性、金属酸化物膜と透明基板の密着性に優れる他、シート抵抗値の安定性も改良出来る。【選択図】なし【特許請求の範囲】
【請求項１】
アクリル系樹脂（ａ）０．１〜６０およびスチレン系樹脂（ｂ）９９．９〜４０質量％からなる樹脂組成物の透明基板上に、金属酸化物膜が形成されてなる金属酸化物膜積層体。
【請求項２】
透明基板の片面又は両面に、１種以上のハードコート層が被覆され、該ハードコート層上に、金属酸化物膜が形成されてなることを特徴とする請求項１に記載の金属酸化物膜積層体。
【請求項３】
スチレン系樹脂（ｂ）がスチレン−無水マレイン酸共重合体およびスチレン−メタクリル酸共重合体から選ばれる少なくとも１種であることを特徴とする請求項１又は請求項２に記載の金属酸化物膜積層体。
【請求項４】
金属酸化物膜が、ガリウム、アルミニウム、ホウ素、ケイ素、スズ、亜鉛、インジウム、ゲルマニウム、チタン、アンチモン、イリジウム、レニウム、セリウム、ジルコニウム、スカンジウム、及びイットリウムから選ばれる元素を少なくとも１種以上を含む事を特徴とする請求項１〜３に記載の金属酸化物膜積層体。
【請求項５】
金属酸化物膜が、酸化ケイ素、窒化ケイ素、酸化窒化ケイ素又はこれらの２種以上からなる無機バリア層の薄膜であることを特徴とする請求項１〜４に記載の金属酸化物膜積層体。
【請求項６】
金属酸化物膜が、スズ添加酸化インジウム、ガリウムもしくはアルミニウム添加酸化亜鉛からなる透明導電膜であることを特徴とする請求項１〜４に記載の金属酸化物膜積層体。
【請求項７】
透明基板が、フィルム、もしくはシートであることを特徴とする請求項１〜６に記載の金属酸化物膜積層体。
【請求項８】
全光線透過率が７０％以上、シート抵抗値が１０Ω／□以下であることを特徴とする請求項１に記載の金属酸化物膜積層体のプラズマディスプレイ用光学フィルターへの使用。
【請求項９】
全光線透過率が７０％以上、シート抵抗値１００Ω／□以下であることを特徴とする請求項２に記載の金属酸化物膜積層体のディスプレイ用透明電極への使用。
【発明の詳細な説明】
【技術分野】
【０００１】
本発明は、金属酸化物膜を形成してなる金属酸化物積層体に関するものであり、詳しくは金属酸化物がガスバリア膜であり、もしくは透明導電膜がタッチパネル、無機分散型ＥＬ（エレクトロルミネセンス）ランプ、透明電磁波シールド、透明電波吸収体、熱線遮蔽膜等に好適に用いられ、光学特性、金属酸化物膜と透明樹脂基板の密着性に優れた金属酸化物積層体に関する。
【背景技術】
【０００２】
透明樹脂基材上にアルミニウム、ケイ素、チタン、インジウム、亜鉛などの金属酸化物を真空蒸着法やスパッタリング法により積層することが広く検討されている。
酸化ケイ素膜や酸化窒化ケイ素膜は水蒸気や酸素の透過を阻止する高いガスバリア性を有するとともに、さらに高い透明性を有するためディスプレイ用途として期待されている。
酸化チタン膜は光触媒作用があり、基板、ガラス、タイルおよびレンガなどにコーティングして脱臭、消臭、防汚、除菌など身近な環境汚染物質の浄化に利用され注目されている。
【０００３】
透明導電膜は可視光透過性と電気伝導性を兼ね備えた膜として広く知られており、その代表的なものとして、スズ添加酸化インジウム膜（以下「ＩＴＯ膜」という）が挙げられる。ＩＴＯ膜を透明基材上に積層した積層体は、電極、通電による発熱体、電磁波の遮蔽材や透光体として広く用いられている。透光体の用途としては、自動車、航空機や、建物の窓、スクリーン、モニター等の電磁波シールド板、液晶表示基板等がある。透光体の形状としては、使用する用途に応じた平面形状や曲面形状等がある。透明基材上にＩＴＯ膜を形成する手段としては、スパッタリング法、真空蒸着法、イオンプレーティング法等が知られている。
【０００４】
このような透光体の基材としては、これまでガラスが主に用いられてきたが、需要や用途が増えるにつれ、加工性や生産性の向上が求められるようになってきた。そのため近年、ガラスに比べ軽量で加工性・生産性に優れたプラスチックが注目されポリエチレンテレフタレートやポリカーボネート、環状オレフィン樹脂などが用いられるようになってきた。液晶ディスプレイに用いられる電極基板では、全光線透過率が同じであっても複屈折がより小さい高分子材料成形体が必要とされ、さらに近年、液晶ディスプレイが大型化し、それに必要な高分子光学材料成形品が大型化するにつれて、外力の偏りによって生じる複屈折の分布を小さくするために、外力による複屈折の変化、即ち光弾性係数の小さい材料が求められている。
【０００５】
中でもアクリル系樹脂は、その透明性の高さから幅広く用いられており、基材に使用する場合、基材とITO膜との密着力不足を補うために、アクリル系樹脂基材とITO膜との間に３次元架橋したアクリル系樹脂系の中間層を介することが知られている（例えば、特許文献１、特許文献２参照）。また、ＩＴＯ膜とアクリル基材を直接密着させる試みとして、アクリル基材においてメチルメタクリレートを主成分としてエチレングリコールジアクリレートなどを共重合している（例えば、特許文献３参照）。
しかし、アクリル系樹脂基材にＩＴＯ膜を形成してなる透明導電膜基板は実用化には至っておらず、基材とＩＴＯ膜との密着性不良、基材の変形によるＩＴＯ膜の破壊のため、抵抗値の安定性が保たれないものと考えられる。
【０００６】
また、プラズマディスプレイ（以下「ＰＤＰ」という）は、ガス放電に伴う発光現象を利用していることから、大きな電流がながれ磁界が発生する。このため、ＰＤＰから発生する電磁波によって人体や他の電子機器に与える影響が懸念されている。このため、ＰＤＰに電磁波シールド性フィルターを取り付けることが検討されている。
従来においてはＰＤＰからの電磁波をシールドするためのフィルターは、例えば金網のような導電性メッシュ材をアクリル板等の透明基板の間に介在させて一体化した構成とされている。しかしＣｕ線などの導電性メッシュ材により透過率が低くなっている。
【特許文献１】特開昭６２−７１１１１号公報
【特許文献２】特開平１０−２４４６２９号公報
【特許文献３】特開昭６２−１７３２４８号公報
【発明の開示】
【発明が解決しようとする課題】
【０００７】
本発明は、透明樹脂基板、その中でも特に外力による複屈折の変化、即ち光弾性係数の小さいアクリル系透明樹脂基板に、ハードコート層を設け、その上に金属酸化物膜を形成することにより、プラズマディスプレイ用光学フィルターに最適な光学特性、金属酸化物膜と透明基板の密着性に優れた金属酸化物積層体と液晶ディスプレイ・プラズマディスプレイ・無機ＥＬディスプレイ・有機ＥＬディスプレイ・電子ペーパー等の透明電極に最適な光学特性、透明導電膜との密着性の良好でシート抵抗値の安定性の良い金属酸化物積層体を提供することにある。
【課題を解決するための手段】
【０００８】
これらの問題を解決するために鋭意研究を重ねた結果、基材に極性基を有しているアクリル系樹脂（ａ）およびスチレン系樹脂（ｂ）の樹脂組成物を用いる事により、この透明基板上に金属酸化物膜を直接形成することができ、光学特性、金属酸化物膜と透明基板の密着性に優れた金属酸化物膜積層体を得る事が出来る。さらに、ハードコート層の形成を容易にしてさらにハードコート層を被覆する事で表面硬度を高めて金属酸化物膜を形成することにより、光学特性、金属酸化物膜と透明基板の密着性に優れる他、シート抵抗値の安定性も改良出来ることを見出した。
【０００９】
すなわち、本発明は以下の通りである。
（１）アクリル系樹脂（ａ）０．１〜６０およびスチレン系樹脂（ｂ）９９．９〜４０質量％からなる樹脂組成物の透明基板上に、金属酸化物膜が形成されてなる金属酸化物膜積層体。
（２）透明基板の片面又は両面に、１種以上のハードコート層が被覆され、該ハードコート層上に、金属酸化物膜が形成されてなることを特徴とする（１）に記載の金属酸化物膜積層体。
（３）スチレン系樹脂（ｂ）がスチレン−無水マレイン酸共重合体およびスチレン−メタクリル酸共重合体から選ばれる少なくとも１種であることを特徴とする（１）又は（２）に記載の金属酸化物膜積層体。
（４）金属酸化物膜が、ガリウム、アルミニウム、ホウ素、ケイ素、スズ、亜鉛、インジウム、ゲルマニウム、チタン、アンチモン、イリジウム、レニウム、セリウム、ジルコニウム、スカンジウム、及びイットリウムから選ばれる元素を少なくとも１種以上を含む事を特徴とする（１）〜（３）に記載の金属酸化物膜積層体。
【００１０】
（５）金属酸化物膜が、酸化ケイ素、窒化ケイ素、酸化窒化ケイ素又はこれらの２種以上からなる無機バリア層の薄膜であることを特徴とする（１）〜（４）に記載の金属酸化物膜積層体。
（６）金属酸化物膜が、スズ添加酸化インジウム、ガリウムもしくはアルミニウム添加酸化亜鉛からなる透明導電膜であることを特徴とする（１）〜（４）に記載の金属酸化物膜積層体。
（７）透明基板が、フィルム、もしくはシートであることを特徴とする（１）〜（６）に記載の金属酸化物膜積層体。
（８）全光線透過率が７０％以上、シート抵抗値が１０Ω／□以下であることを特徴とする（１）に記載の金属酸化物膜積層体のプラズマディスプレイ用光学フィルターへの使用。
（９）全光線透過率が７０％以上、シート抵抗値１００Ω／□以下であることを特徴とする（２）に記載の金属酸化物膜積層体のディスプレイ用透明電極への使用。
である。
【発明の効果】
【００１１】
基材に極性基を有しているアクリル系樹脂およびスチレン系樹脂の樹脂組成物を用いる事により、この透明基板上に金属酸化物膜を直接形成することができ、光学特性、金属酸化物膜と透明基板の密着性に優れた金属酸化物膜積層体を得る事が出来る。またハードコート層の形成を容易にしてさらにハードコート層を被覆する事で表面硬度を高めて金属酸化物膜を形成することにより、光学特性、金属酸化物膜と透明基板の密着性に優れる金属酸化物膜積層体を得る事ができる。
【発明を実施するための最良の形態】
【００１２】
以下本発明をさらに詳細に説明する。
本発明は、アクリル系樹脂（ａ）およびスチレン系樹脂（ｂ）からなる樹脂組成物の透明基板上に金属酸化物膜が形成されている金属酸化物膜積層体である。
本発明におけるアクリル系樹脂（ａ）としては、メタクリル酸シクロヘキシル、メタクリル酸ｔ−ブチルシクロヘキシル、メタクリル酸メチル等のメタクリル酸エステル、及びアクリル酸メチル、アクリル酸エチル、アクリル酸ブチル、アクリル酸イソプロピル、アクリル酸２−エチルヘキシル等のアクリル酸エステルから選ばれる１種以上の単量体を重合したものが挙げられる。なかでも、メタクリル酸メチルの単独重合体又は他の単量体との共重合体が好ましい。
【００１３】
メタクリル酸メチルと共重合可能な単量体としては、他のメタクリル酸アルキルエステル類、アクリル酸アルキルエステル類、スチレン及びｏ−メチルスチレン、ｐ−メチルスチレン、２，４−ジメチルスチレン、ｏ−エチルスチレン、ｐ−エチルスチレン、ｐ−ｔｅｒｔ−ブチルスチレン等の核アルキル置換スチレン、α−メチルスチレン、α−メチル−ｐ−メチルスチレン等のα−アルキル置換スチレン等の芳香族ビニル化合物類、アクリロニトリル、メタクリルニトリル等のシアン化ビニル類、Ｎ−フェニルマレイミド、Ｎ−シクロヘキシルマレイミド等のマレイミド類、無水マレイン酸等の不飽和カルボン酸無水物類、アクリル酸、メタクリル酸、マレイン酸等の不飽和酸類等が挙げられる。
【００１４】
メタクリル酸メチルと共重合可能な単量体の中でも、特にアクリル酸アルキルエステル類は耐熱分解性に優れ、またアクリル酸アルキルエステル類を共重合させて得られるメタクリル系樹脂は成形加工時の流動性が高く好ましい。メタクリル酸メチルにアクリル酸アルキルエステル類を共重合させる場合のアクリル酸アルキルエステル類の使用量は、耐熱分解性の観点から０．１質量％以上であることが好ましく、耐熱性の観点から１５質量％以下であることが好ましい。０．２〜１４質量％であることがさらに好ましく、１〜１２質量％であることがとりわけ好ましい。このアクリル酸アルキルエステル類の中でも、特にアクリル酸メチル及びアクリル酸エチルは、それを少量メタクリル酸メチルと共重合させても上記改良効果は著しく最も好ましい。上記メタクリル酸メチルと共重合可能な単量体は一種又は二種以上組み合わせて使用することもできる。
【００１５】
アクリル系樹脂の重量平均分子量は５万〜２０万のものが望ましい。重量平均分子量は成形品の強度の観点から５万以上が望ましく、成形加工性、流動性の観点から２０万以下が望ましい。さらに望ましい範囲は７万〜１５万である。また、アイソタクチックポリメタクリル酸エステルとシンジオタクチックポリメタクリル酸エステルを同時に用いることもできる。
【００１６】
アクリル系樹脂を製造する方法として、例えばキャスト重合、塊状重合、懸濁重合、溶液重合、乳化重合、アニオン重合等の一般に行われている重合方法を用いることができるが、光学用途としては微小な異物の混入はできるだけ避けるのが好ましく、この観点からは懸濁剤や乳化剤を用いない塊状重合や溶液重合が望ましい。溶液重合を行う場合には、単量体の混合物をトルエン、エチルベンゼン等の芳香族炭化水素の溶媒に溶解して調製した溶液を用いることができる。塊状重合により重合させる場合には、通常行われるように加熱により生じる遊離ラジカルや電離性放射線照射により重合を開始させることができる。
【００１７】
重合反応に用いられる開始剤としては、一般にラジカル重合において用いられる任意の開始剤を使用することができ、例えばアゾビスイソブチルニトリル等のアゾ化合物、ベンゾイルパーオキサイド、ラウロイルパーオキサイド、ｔ−ブチルパーオキシ−２−エチルヘキサノエート等の有機過酸化物が用いられ、また特に９０℃以上の高温下で重合を行わせる場合には、溶液重合が一般的であるので、１０時間半減期温度が８０℃以上であり、かつ用いる有機溶媒に可溶である過酸化物、アゾビス開始剤等が好ましく、具体的には１，１−ビス（ｔ−ブチルパーオキシ）３，３，５−トリメチルシクロヘキサン、シクロヘキサンパーオキシド、２，５−ジメチル−２，５−ジ（ベンゾイルパーオキシ）ヘキサン、１，１−アゾビス（１−シクロヘキサンカルボニトリル）、２−（カルバモイルアゾ）イソブチロニトリル等を挙げることができる。これらの開始剤は０．００５〜５質量％の範囲で用いられる。
【００１８】
重合反応に必要に応じて用いられる分子量調節剤は、一般的なラジカル重合において用いる任意のものが使用され、例えばブチルメルカプタン、オクチルメルカプタン、ドデシルメルカプタン、チオグリコール酸２−エチルヘキシル等のメルカプタン化合物が特に好ましいものとして挙げられる。これらの分子量調節剤は、重合度が上記の範囲内に制御されるような濃度範囲で添加される。アクリル系樹脂は、分子量、組成等が異なる２種以上のものを同時に用いることができる。
【００１９】
本発明におけるスチレン系樹脂（ｂ）とは、少なくともスチレン系単量体成分よりなる重合体であり、スチレン系単量体としては、スチレン、ｏ-メチルスチレン、ｍ-メチルスチレン、ｐ-メチルスチレン、２，４-ジメチルスチレン、エチルスチレン、ｐ-ｔｅｒｔ-ブチルスチレン等の核アルキル置換スチレン、α-メチルスチレン、α-メチル-ｐ-メチルスチレン等のα-アルキル置換スチレン等のビニル芳香族化合物単量体等が挙げられる。
【００２０】
スチレン系樹脂（ｂ）はスチレン系単量体成分に他の単量体成分を共重合したものも含まれる。共重合可能な単量体としては、メチルメタクリレート、シクロヘキシルメタクリレート、メチルフェニルメタクリレート、イソプロピルメタクリレート等のアルキルメタクリレート、メチルアクリレート、エチルアクリレート、ブチルアクリレート、２-エチルヘキシルアクリレート、シクロヘキシルアクリレート等のアルキルアクリレート等の不飽和カルボン酸アルキルエステル単量体、メタクリル酸、アクリル酸、イタコン酸、マレイン酸、フマル酸、桂皮酸等の不飽和カルボン酸単量体、無水マレイン酸、イタコン酸、エチルマレイン酸、メチルイタコン酸、クロルマレイン酸等の無水物である不飽和ジカルボン酸無水物単量体、アクリロニトリル、メタクリロニトリル等の不飽和ニトリル単量体、１，３-ブタジエン、２-メチル-１，３-ブタジエン（イソプレン）、２，３-ジメチル-１，３-ブタジエン、１，３-ペンタジエン、１，３-ヘキサジエン等の共役ジエン等が挙げられ、２種以上を共重合することも可能である。
【００２１】
本発明で好適に用いることができるスチレン系樹脂（ｂ）としては、ポリスチレン（スチレン単独重合体）、スチレン-アクリロニトリル共重合体、スチレン-ブチルアクリレート共重合体、スチレン-メチルメタクリレート共重合体、スチレン-メタクリレート共重合体、スチレン-マレイン酸共重合体、スチレン-無水マレイン酸共重合体、スチレン-ブチルアクリレート-メチルメタクリレート共重合体等が挙げられ、中でもスチレン−無水マレイン酸共重合体およびスチレン−メタクリル酸共重合体が好ましい。これは、無水マレイン酸やカルボキシル基などの極性基が含まれているため金属酸化物膜と透明基板の密着性が良いと考えられる。これらの共重合体中の無水マレイン酸およびメタクリル酸含量は１〜４０重量％であることが好ましい。さらに好ましい範囲は１〜３０重量％であり、とりわけ好ましい範囲は１〜２５重量％である。この範囲にある場合、透明性が向上する。
【００２２】
スチレン系樹脂（ｂ）は組成、分子量等異なる種類のものを併用することができる。これらは公知のアニオン、塊状、懸濁、乳化または溶液重合方法により得ることができる。また、スチレン系樹脂（ｂ）においては、共役ジエン、スチレン系単量体のベンゼン環の不飽和二重結合が水素添加されていてもよい。水素添加率は核磁気共鳴装置（ＮＭＲ）によって測定できる。
【００２３】
本発明におけるスチレン系樹脂（ｂ）は、メチルメタクリレート単量体をスチレン系樹脂（ｂ）の共重合体成分及びまたはスチレン系樹脂（ｂ）以外の重合体成分として含むことが好ましい。メチルメタクリレート単量体を含むことにより、光弾性係数が小さくなる。スチレン系樹脂（ｂ）にメチルメタクリレート単量体を導入する方法の例としてはスチレン系単量体にメチルメタクリレート単量体を共重合する方法、メチルメタクリレート単量体を含む重合体（例えば、アクリル系樹脂（ａ））とスチレン系樹脂（ｂ）を混合する方法等がある。
本発明においては、スチレン系樹脂（ｂ）に５０重量％以下の範囲でメタクリル酸アルキルエステル単量体及びまたはアクリル酸アルキルエステル単量体を含んでもよく、アクリル系樹脂（ａ）には５０重量％以下の範囲でスチレン系単量体を含んでいてもよい。
【００２４】
本発明のアクリル系樹脂（ａ）およびスチレン系樹脂（ｂ）を含有する樹脂組成物におけるスチレン系樹脂（ｂ）の含有割合（質量％）は、金属酸化物との密着性に関与する極性基の点から４０質量％以上９９．９質量％以下であることが好ましく、５０質量％以上９５質量％以下であることがさらに好ましく、７０質量％以上９０質量％以下であることがとりわけ好ましい。この樹脂組成物中の組成において、透明性を損なわない限り、スチレン系樹脂（ｂ）の量が多いほど金属酸化物膜とアクリル系樹脂（ａ）およびスチレン系樹脂（ｂ）を含有する樹脂組成物透明基板との密着性が向上すると考えられる。
【００２５】
本発明におけるアクリル系樹脂（ａ）およびスチレン系樹脂（ｂ）を含有する樹脂組成物の透明基板を製造する際、必要に応じて染料、顔料、ヒンダードフェノール系やリン酸塩等の熱安定剤、ベンゾトリアゾール系、２-ヒドロキシベンゾフェノン系、サリチル酸フェニルエステル系などの紫外線吸収剤、フタル酸エステル系、脂肪酸エステル系、トリメリット酸エステル系、リン酸エステル系、ポリエステル系などの可塑剤、高級脂肪酸、高級脂肪酸エステル、高級脂肪酸のモノ、ジ、またはトリグリセリド系などの離型剤、高級脂肪酸エステル、ポリオレフィン系などの滑剤、ポリエーテル系、ポリエーテルエステル系、ポリエーテルエステルアミド系、アルキルスフォン酸塩、アルキルベンゼンスルフォン酸塩などの帯電防止剤、リン系、リン／塩素系、リン／臭素系などの難燃剤、反射光のぎらつきを防止するためにメタクリル酸メチル／スチレン共重合体ビーズなどの有機系光拡散剤、硫酸バリウム、酸化チタン、炭酸カルシウム、タルクなどの無機系光拡散剤、補強剤として多段重合で得られるアクリル系ゴム等を使用してもよい。これらの添加剤を配合するときには、公知の方法で実施しうる。例えば、単量体混合物にあらかじめ添加剤を溶解しておき重合する方法や、溶融状態、ビーズ状あるいはペレット状の樹脂に添加剤をミキサー等でドライブレンドし、押出し機を用いて混練、造粒する方法などが挙げられる。
【００２６】
本発明のアクリル系樹脂（ａ）およびスチレン系樹脂（ｂ）を含有する樹脂組成物の透明基板は、フィルム、もしくはシートであることが好ましい。フィルム・シートは、厚さの違いのみであり、フィルムは３００μｍ以下の厚さのものを言い、シートは３００μｍを超えるものである。透明樹脂基板の厚さは、０．０１〜１０．０ｍｍの範囲のフィルムまたはシートであることが好ましい。０．０１〜１０．０ｍｍの範囲のフィルムまたはシートは、パネル加工時に変形しにくく取り扱いやすい。また、基板の荷重による変形も生じにくくなるので、液晶表示素子を組み立てた際に、二重像が顕著になり表示品位が損なわれにくくなる。さらに好ましい厚さは０．１〜５．０ｍｍの範囲である。
本発明の透明基板であるフィルム、もしくはシートは延伸してもよく、一軸延伸でも二軸延伸でもよい。
【００２７】
本発明におけるアクリル系樹脂（ａ）およびスチレン系樹脂（ｂ）を含有する樹脂組成物の透明基板のフィルムまたはシートは透明性が必須であり、その透明性の指標として全光線透過率が８０％以上、ヘイズ値が５％以下であることが好ましい。さらに好ましくは全光線透過率が８５％以上、ヘイズ値が２％以下である。
本発明におけるアクリル系樹脂（ａ）およびスチレン系樹脂（ｂ）を含有する樹脂組成物の透明基板のフィルムまたはシートは光学等方性が優れるものが好ましく、リタデーション値が３０ｎｍ以下、遅相軸のバラツキが４０度以内、より好ましくはリタデーション値が２０ｎｍ以下、遅相軸のバラツキが２０度以内のものが好適である。ここで、リタデーション値は、公知の測定装置を用いて測定した波長５９０ｎｍにおける複屈折の屈折率の差△ｎと膜厚ｄとの積△ｎ・ｄで表されるものである。
【００２８】
本発明におけるアクリル系樹脂（ａ）およびスチレン系樹脂（ｂ）を含有する樹脂組成物の透明基板のフィルム又はシートは光弾性係数の絶対値が３．０×１０−１２／Ｐａ未満であることが好ましい。光弾性係数がこの範囲内であれば、応力による複屈折の変化が少ないため、液晶表示装置等に使用した場合にコントラストや画面の均一性に優れる。
【００２９】
光弾性係数は種々の文献に記載があり（例えばＭａｃｒｏｍｏｌｅｃｕｌｅｓ  ２００４，３７，１０６２−１０６６参照）、下式により定義される。
｜ＣＲ｜＝｜Δｎ｜／σＲ          ｜Δｎ｜＝｜ｎ１−ｎ２｜
（式中、｜ＣＲ｜：光弾性係数の絶対値、σＲ：伸張応力、｜Δｎ｜：複屈折の絶対値、ｎ１：伸張方向の屈折率、ｎ２：伸張方向と垂直な屈折率）
光弾性係数の値がゼロに近いほど外力による複屈折の変化が小さいことを示しており、各用途において設計された複屈折の変化が小さいことを意味する。
【００３０】
本発明における金属酸化物膜に用いる材料としては、ガリウム、アルミニウム、ホウ素、ケイ素、スズ、亜鉛、インジウム、ゲルマニウム、チタン、アンチモン、イリジウム、レニウム、セリウム、ジルコニウム、スカンジウム、及びイットリウムから選ばれる元素を少なくとも１種以上を含む金属酸化物膜を利用することができる。
金属酸化物膜は、無機バリア層や透明導電膜としての役割がある。
無機バリア層として用いる場合、ケイ素やアルミニウムの金属酸化物、金属酸化窒化物、又はこれらの混合物で構成された薄膜であることが好ましい。具体的な無機バリア層の構成成分としては、一般的に真空成膜される材料であれば原則的に使用可能であり、中でもセラミック材料を用いると、透明性の高い薄膜を形成することができる。セラミック材料としては、ＳｉＯｘ、ＡｌＯｘ、ＳｉＯｘＮｙ、ＳｉＯｘＮｙＣｚ、ＳｉＮｘＣｙ、ＡｌＯｘＮｙ、ＡｌＯｘＮｙＣｚ、及びＡｌＮｘＣｙ等を例示することができる。ここで、ｘ、ｙ、ｚは、それぞれ数を表す。
【００３１】
これらの金属化合物材料の中でも、酸化ケイ素、窒化ケイ素、酸化窒化ケイ素、及び、これらの混合材料が無機バリア層として好ましい。さらに好ましくは、ＳｉＯｘ（ただし、１＜ｘ≦２）膜であり、表面硬度が硬く、非導電性である。この中で、ガスバリア性、透明性、表面平滑性、屈曲性、膜応力、コスト等の点からケイ素原子数に対する酸素原子数の割合ｘが１．５〜２．０のケイ素酸化物を主成分とする金属酸化物が良好である。ケイ素酸化物のケイ素原子数に対する酸素原子数の割合は、Ｘ線光電子分光法、Ｘ線マイクロ分光法、オージェ電子分光法、ラザホード後方散乱法等により分析、決定される。この割合の範囲であると、透明性が良好である。更に上記ケイ素酸化物中に、酸化マグネシウム及び／又はフッ化マグネシウムを全体の重量に対して５〜３０質量％含有すると、透明性をより高くすることができる。
無機バリア層の厚さは１〜１０００ｎｍが好ましく、より好ましくは２〜１００ｎｍ、さらに好ましくは３〜５０ｎｍである。
【００３２】
透明導電膜として用いる場合は、スズ，ゲルマニウム，亜鉛，ガリウム、マグネシウムのうち少なくとも１種類を含む酸化インジウム膜、アンチモン、フッ素、亜鉛のうち少なくとも１種類を含む酸化スズ膜もしくは、アルミニウム，ガリウム，ホウ素，ケイ素、スズ、インジウム、ゲルマニウム、アンチモン、イリジウム、レニウム、セリウム、ジルコニウム、スカンジウム、イットリウムのうち少なくとも１種類を含む酸化亜鉛膜を利用することができる。
酸化インジウム膜に添加されるスズ，ゲルマニウム，亜鉛，ガリウム、マグネシウムの含有量は、これらのうち１種類を添加する場合は、インジウムに対するこれらの材料の原子比（Ｓｎ／Ｉｎ，Ｇｅ／Ｉｎ，Ｚｎ／Ｉｎ，Ｇａ／Ｉｎ，Ｍｇ／Ｉｎ）をいずれも０．５〜２０．０％が好ましい。より好ましくは５〜１０％が好ましい。中でも導電性と透明性のバランスがよいスズが最も好ましい。
このような比率で添加すると、膜の導電性及び透明性を良好に維持できる。また、これらの材料の複数種類を添加する場合は、添加する材料の全体の添加量をインジウムに対して２０．０％以下が好ましい。
【００３３】
酸化スズ膜に添加されるアンチモン、フッ素、亜鉛の含有量は、これらのうち１種類を添加する場合は、インジウムに対するこれらの材料の原子比（Ｓｂ／Ｓｎ，Ｆ／Ｓｎ，Ｚｎ／Ｓｎ）をいずれも０．５〜２０．０％が好ましい。このような比率で添加すると、膜の導電性及び透明性を良好に維持できる。また、これらの材料の複数種類を添加する場合は、添加する材料の全体の添加量をスズに対して２０．０％以下が好ましい。
【００３４】
酸化亜鉛膜に添加されるアルミニウム，ガリウム，ホウ素，ケイ素、スズ、インジウム、ゲルマニウム、アンチモン、イリジウム、レニウム、セリウム、ジルコニウム、スカンジウム、イットリウムの含有量は、これらのうち１種類を添加する場合は、酸化亜鉛に対するこれらの材料の原子比がいずれも０．０５〜１５％の範囲が好ましい。このような比率で添加すると、膜の導電性及び透明性を良好に維持できる。また、これらの材料の複数種類を添加する場合は、添加する材料の全体の添加量を酸化亜鉛に対して１５％以下の範囲が好ましい。これらの材料の中でも三酸化二ガリウムを添加した酸化亜鉛であると膜の導電性及び透明性がより好適である。透明導電膜である酸化インジウム、酸化亜鉛における金属酸化物膜積層体のシート抵抗値は、用途によって異なるが、５〜１００００Ω／□の範囲のものが導電性材料として好ましい。さらに好ましくは１０〜３００Ω／□の範囲のものが好ましい。ただし、プラズマディスプレイ用光学フィルターに適しているのは、１０Ω／□以下、ディスプレイ用透明電極に適しているのは１０〜１００Ω／□の範囲のものが好ましい。
【００３５】
これらの透明導電性金属酸化物膜の膜厚は、１０ｎｍ〜１０００ｎｍの範囲が好ましい。この膜厚の範囲では、用途によって異なるが、可撓性が保たれた連続的な膜を得る事が出来る。さらに、本発明の透明導電膜の膜厚は用途に応じて２０〜５００ｎｍとすることが望ましい。
【００３６】
本発明の金属酸化物積層体は、透明基板上にハードコート層が形成されていてもよい。
本発明に用いるハードコート層としては、例えば、分子中に少なくとも２個の官能基を有する化合物からなる被膜を硬化したもの等が挙げられる。ハードコート層を形成するための官能基としては、例えば、（メタ）アクリロイルオキシ基のような不飽和二重結合を有する基、エポキシ基やシラノール基のような反応性の置換基等が挙げられる。なかでも、不飽和二重結合を有する基は、紫外線や電子線のような活性化エネルギー線の照射により容易に硬化しうるので、好ましく用いられる。不飽和二重結合を有する基を分子中に少なくとも２個有する化合物としては、例えば、多官能アクリレート化合物等が挙げられる。ここで、多官能アクリレート化合物とは、分子中に少なくとも２個のアクリロイルオキシ基及び／又はメタクロイルオキシ基を有する化合物をいう。以下、アクリロイルオキシ基とメタクロイルオキシ基とをまとめて（メタ）アクリロイルオキシ基と呼ぶ。
【００３７】
多官能アクリレート化合物としては、例えば、次のようなものを挙げることができる。エチレングリコールジアクリレート、ジエチレングリコールジアクリレート、１，６−ヘキサンジオールジアクリレート、ネオペンチルグリコールジアクリレート、トリメチロールプロパントリアクリレート、トリメチロールエタントリアクリレート、テトラメチロールメタントリアクリレート、テトラメチロールメタンテトラアクリレート、ペンタグリセロールトリアクリレート、ペンタエリスリトールトリアクリレート、ペンタエリスリトールテトラアクリレート、グリセリントリアクリレート、ジペンタエリスリトールトリアクリレート、ジペンタエリスリトールテトラアクリレート、ジペンタエリスリトールペンタアクリレート、ジペンタエリスリトールヘキサアクリレート、トリス（アクリロイルオキシエチル）イソシアヌレート、エチレングリコールジメタクリレート、ジエチレングリコールジメタクリレート、１，６−ヘキサンジオールジメタクリレート、ネオペンチルグリコールジメタクリレート、トリメチロールプロパントリメタクリレート、トリメチロールエタントリメタクリレート、テトラメチロールメタントリメタクリレート、テトラメチロールメタンテトラメタクリレート、ペンタグリセロールトリメタクリレート、ペンタエリスリトールトリメタクリレート、ペンタエリスリトールテトラメタクリレート、グリセリントリメタクリレート、ジペンタエリスリトールトリメタクリレート、ジペンタエリスリトールテトラメタクリレート、ジペンタエリスリトールペンタメタクリレート、ジペンタエリスリトールヘキサメタクリレート、トリス（アクリロイルオキシエチル）イソシアヌレート、ホスファゼン化合物のホスファゼン環に（メタ）アクリロイルオキシ基が導入されたホスファゼン系（メタ）アクリレート化合物、分子中に少なくとも２個のイソシアネート基を有するポリイソシアネート化合物と少なくとも１個の（メタ）アクリロイルオキシ基及び少なくとも１個の水酸基を有するポリオール化合物とを反応させて得られるウレタン（メタ）アクリレート化合物、分子中に少なくとも２個のカルボニル基を有するカルボン酸ハロゲン化物と少なくとも１個の（メタ）アクリロイルオキシ基を有するポリオール化合物とを反応させて得られるポリエステル（メタ）アクリレート化合物等である。
これらの化合物は、それぞれ単独で又は２種以上混合して用いることができる。またこれら各化合物の２量体、３量体等のオリゴマーであってもよい。
【００３８】
ハードコート層は、通常の方法、例えば、ハードコート剤を樹脂基材の表面に塗布することにより被膜とし、これに活性化エネルギー線を照射すること等により設けることができる。塗布方法としては、例えば、マイクログラビアコート法、ロールコート法、ディッピングコート法、スピンコート法、ダイコート法、フローコート法、スプレーコート法等が挙げられる。ハードコート層の厚みは、０．５〜５０μｍが好ましく、さらに好ましくは１〜２０μｍで、より好ましくは２〜１０μｍである。その厚みが０．５〜５０μｍであると、耐擦傷性が良く、亀裂の発生が起こりにくくなる。
【００３９】
本発明のハードコート層は、帯電防止性のハードコート層であってもよい。帯電防止性のハードコート層としては、例えば、導電性粒子が分散されたハードコート層、界面活性剤を含有するハードコート層等が挙げられる。導電性粒子が分散されたハードコート層としては、不飽和二重結合を少なくとも２個有する化合物が硬化されてなる硬化被膜に、導電性粒子が分散されてなる層等が挙げられる。導電性粒子としては、例えば、スズ、アンチモン、チタン、インジウムの如き金属の酸化物や、これらの金属の複合酸化物、例えば、インジウムスズ複合酸化物（ＩＴＯ）やアンチモンドープ酸化スズ等の粒子が挙げられる。導電性粒子の粒子径は、一次粒子径で通常、０．００１〜０．１μｍ程度が好ましい。この範囲内では、透明性が維持される傾向にある。
【００４０】
塗膜の耐摩耗性の向上と硬化時における体積収縮率の減少のために、無機微粒子を含有させても構わない。無機微粒子としては、シリカ、酸化チタン等の金属酸化物からなる微粒子が好ましい。かかる無機微粒子の含有量は２０〜６０質量％が好ましく、無機微粒子の平均粒径は１００μｍ以下のものが好ましい。この含有量の範囲内では、製品フィルムのカール発生を抑えられ、ハードコート樹脂の伸縮性不良と屈曲によるクラックの発生も低減できる。また、この平均粒径は１００ｎｍ以上であることが好ましい。
反射防止層のハードコート性（傷防止性）向上のために、無機微粒子表面に光重合反応性を有する感光性基を導入したものが好ましい。この感光性基としては単官能性又は多官能性アクリレートが好ましい。
【００４１】
本発明におけるハードコート層は、その表面が鉛筆硬度で４Ｈ以上の硬さを有することが好ましい。
本発明の透明導電性金属酸化物積層体は、ハードコート層を施した透明樹脂基板に透明導電膜を形成できるが、透明樹脂基板に無機バリア層を介して透明導電膜を形成しても構わない。透明樹脂基板の片面又は両面に層構成を有しても構わない。
無機バリア層は、透明樹脂基板に耐スクラッチ性、表面硬度、耐透湿性、耐透気性、耐熱性、耐溶剤性等の性質を付与するのに貢献する。透明樹脂基板に無機バリア層を介して透明導電膜を形成する際、耐スクラッチ性及び表面硬度を一段と向上させる役割を果たすと共に、透明導電性金属酸化物膜の形成時、熱によるダメージをさらに軽減化させていると考えられる。
【００４２】
さらに透明導電性金属酸化物積層体に最外層として、任意の樹脂又は無機化合物の層を１層又は２層以上積層してもよい。このような最外層には、保護膜、反射防止膜、フィルター等の役割、又は、液晶の視野角の調整、曇り止め等の機能を持たせることができる。
上記金属酸化物膜積層体は、全光線透過率が７０％以上、ヘイズ値が１０％以下であることが好ましく、この範囲では、透明感が良好である。さらに好ましくは全光線透過率が８０％以上、ヘイズ値が５％以下である。ただしプラズマディスプレイ用光学フィルターならびにディスプレイ用透明電極に適しているのは７０％以上であれば適用できる。
金属酸化物膜を形成してなる金属酸化物膜積層体の製造方法において、成膜法は、特に限定するものではなく、スパッタリング法や、真空蒸着法、CVD法を用いることもできるが、好適な方法は、スパッタリング法やイオンプレーティング法によるものである。
【００４３】
本発明において透明導電性金属酸化物積層体は、プラズマディスプレイ用光学フィルターとして利用することが出来る。これはプラズマディスプレイのガス放電に伴う発光時に大きな電流がながれて磁界が発生するため、ＰＤＰから発生する電磁波が人体や他の電子機器に与える影響を懸念している。このため、ＰＤＰに電磁波シールド性フィルターを取り付けることが検討されている。
本発明においては、スズ添加酸化インジウム膜を形成した透明導電性金属酸化物積層体が、ＰＤＰからの電磁波をシールドするためのフィルターとして、透明性かつ電磁波シールド性に良好である。
【実施例】
【００４４】
以下に実施例、比較例を用いて本発明をさらに具体的に説明する。
＜評価法＞
（Ａ）無機バリア膜を有したアクリル系樹脂積層体の評価
（Ａ−１）全光線透過率、ヘイズ
ＪＩＳ  Ｋ  ６７１１に準拠して評価した。
（Ａ−２）面内レタデーション（Ｒｅ）の測定
大塚電子（株）社製複屈折測定装置ＲＥＴＳ−１００を用いて、回転検光子法により２３℃における面内レタデーション（Ｒｅ）を測定した。
（Ａ−３）無機バリア膜の状態
無機バリア膜を有したアクリル系樹脂積層体表面を顕微鏡で８００倍に拡大し、無機バリア膜の亀裂が認められない場合は「○」（良好）と評価し、亀裂が認められる場合は「×」（不良）と評価した。
（Ａ−４）密着性評価
密着性の評価方法として粘着テープ（ニチバン製１．８cm幅のセロテープ）の粘着面を透明導電性積層体の無機バリア膜に密着させ、引き剥がす剥離テストにより評価する。無機バリア膜が全く剥離しない場合を「○」（良好）とし、全面剥離した場合を「×」（不良）と表示した。
【００４５】
（Ａ−５）光弾性係数の測定
Macromolecules 2004,37,1062-1066に詳細の記載のある複屈折測定装置を用いた。レーザー光の経路にシート片の引張装置を配置し、２３℃で伸張応力をかけながら複屈折を測定した。伸張時の歪速度は２０％／分（チャック間：３０ｍｍ、チャック移動速度：６ｍｍ／分）、試験片幅は７ｍｍで測定を行った。複屈折（Δｎ）と伸張応力（σＲ）の関係から、最小二乗近似により線形領域の直線の傾きをもとめ光弾性係数（ＣＲ）を計算し、光惰性係数の絶対値（｜ＣＲ｜）を求めた。傾きの絶対値が小さいほど光弾性係数が０に近いことを示し、好ましい光学特性であることを示す。
｜ＣＲ｜＝｜Δｎ｜／σＲ
（ＣＲ：光弾性係数、σＲ：伸張応力、Δｎ：複屈折、ｎ１：伸張方向の屈折率、ｎ２：伸張方向と垂直な屈折率）
【００４６】
（Ｂ）透明導電膜を形成してなる透明導電性積層体の評価
（Ｂ−１）全光線透過率、ヘイズ
上記（Ａ−１）と同様に測定した。
（Ｂ−２）面内レタデーション（Ｒｅ）の測定
上記（Ａ−２）と同様に測定した。
（Ｂ−３）ＩＴＯ膜の外観評価：
透明導電性積層体表面を顕微鏡で８００倍に拡大し、ＩＴＯ膜の亀裂が認められない場合は「○」（良好）と評価し、亀裂が認められる場合は「×」（不良）と評価した。
（Ｂ−４）密着性評価
密着性の評価方法として粘着テープ（ニチバン製１．８cm幅のセロテープ）の粘着面を透明導電性積層体のＩＴＯ膜に密着させ、引き剥がす剥離テストにより評価する。ＩＴＯＯ膜が全く剥離しない場合を「○」（良好）とし、全面剥離した場合を「×」（不良）と表示した。
（Ｂ−５）基板の変形評価：熱オーブンテスト
温度８０℃の雰囲気下、約３０分間静置して目視でそり・変形を評価した。透明導電性積層体が全く変形・そりがない場合を「○」（良好）、変形・そりがわずかに認められる場合を「△」（可）とし、変形・そりが認められる場合を「×」（不良）と表示する。
【００４７】
＜用いた原材料＞
（ａ）アクリル系樹脂
メタクリル酸メチル９６．７質量％、アクリル酸メチル２．１質量％、及びキシレン１質量％からなる単量体混合物に、１，１-ジ-ｔ-ブチルパーオキシ-３，３，３-トリメチルシクロヘキサン０．０２９４質量％、及びｎ-オクチルメルカプタン０．２８質量％を添加し、均一に混合する。この溶液を内容積１０リットルの密閉耐圧反応器に連続的に供給し、攪拌下に平均温度１３０℃、平均滞留時間２時間で重合した後、反応器に接続された貯層に連続的に送り出し、一定条件下で揮発分を除去し、さらに押出機に連続的に溶融状態で移送し、以下の実施例に使用したアクリル系樹脂である（メタクリル酸メチル／アクリル酸メチル）共重合体ペレットを得た。得られた共重合体のアクリル酸メチル含量は２．０％、重量平均分子量は１０２，０００、ＡＳＴＭ-Ｄ１２３８に準拠して測定した２３０℃３．８ｋｇ荷重のメルトフロー値は２．０ｇ／分であった。
【００４８】
（ｂ）スチレン系樹脂
（ｂ−１）スチレン／メタクリル酸共重合体
装置の全てがステンレス鋼で製作されているものを用いて、連続溶液重合を行った。スチレン７５．２質量％、メタクリル酸４．８質量％、エチルベンゼン２０質量％を調合液とし、重合開始剤として１，１-ｔｅｒｔ-ブチルパーオキシ-３，３，５-トリメチルシクロヘキサンを用いる。この調合液を１Ｌ／ｈｒの速度で連続して、内容積２Ｌの攪拌機付きの完全混合重合機へ供給し、１３６℃で重合を行った。
固形分４９％を含有する重合液を連続して取り出し、まず２３０℃に予熱後、２３０℃に保温し、２０Ｔｏｒｒに減圧された脱揮器に供給し、平均滞留０．３時間経過後、脱揮器の低部のギヤポンプより連続して排出した。
得られたスチレン-メタクリル酸共重合体（ｂ-１）は無色透明で、中和滴定による組成分析の結果、スチレン含量９２重量％、無水マレイン酸含量８重量％であった。ＡＳＴＭ-Ｄ１２３８に準拠して測定した２３０℃、３．８ｋｇ荷重のメルトフローレート値は５．２ｇ／１０分であった。
【００４９】
（ｂ-２）スチレン-無水マレイン酸共重合体
装置の全てがステンレス鋼で製作されているものを用いて、連続溶液重合を行った。スチレン９１．７質量％、無水マレイン酸８．３質量％の比率で合計１００質量％となるように準備した（ただし、両者は混合しない）。メチルアルコール５質量％、重合開始剤として１，１-ｔｅｒｔ-ブチルパーオキシ-３，３，５-トリメチルシクロヘキサン０．０３質量％をスチレンに混合し第１調合液とし、０．９５ｋｇ／ｈｒの速度で連続して内容積４ｌのジャケット付き完全混合重合機に供給した。
【００５０】
一方、７０℃に加熱した無水マレイン酸を第二調合液として、第１調合液と同時に０．１０ｋｇ／ｈｒの速度で同一重合機へ供給し、１１１℃で重合を行った。重合転化率が５４％となったところで重合液を重合機から連続して取り出し、まず２３０℃に予熱後、２３０℃に保温し、２０Ｔｏｒｒに減圧された脱揮器に供給し、平均滞留０．３時間経過後、脱揮器の低部のギヤポンプより連続して排出し、スチレン-無水マレイン酸共重合体（ｂ-２）を得た。
得られたスチレン-無水マレイン酸共重合体（ｂ-２）は無色透明で、中和滴定による組成分析の結果、スチレン含量８５重量％、無水マレイン酸含量１５重量％であった。ＡＳＴＭ-Ｄ１２３８に準拠して測定した２３０℃、２．１６ｋｇ荷重のメルトフローレート値は２．０ｇ／１０分であった。
【００５１】
［実施例１および比較例１］
クロックナー社製 Ｆ４０の射出成形機を利用し、（（ａ）アクリル系樹脂と（ｂ−１）スチレン／メタクリル酸共重合体を表１に記載の組成で押出し、各樹脂について平板シート（８０×８０×２ｍｍｔ）をそれぞれ成形温度２６０℃、２７０℃で作成した。そして成膜前にあらかじめ真空乾燥機で６０℃、約１時間乾燥し、水分などの微量不純物を除去した。そのシート上に無機バリア層としてＳｉＯｘ（ただし、１＜ｘ≦２）膜をイオンプレーティング法により成膜した。ＳｉＯｘ膜の膜厚は約１０ｎｍに調整した。この金属酸化物積層体の評価結果を表１に併記する。
【００５２】
［実施例２］
無機バリア層として酸化窒化ケイ素膜（ＳｉＯｘＮｙ）をイオンプレーティング法により成膜した以外は、実施例１と同様にして金属酸化物積層体を得た。酸化窒化ケイ素膜の厚みは１００ｎｍであった。この金属酸化物積層体の評価結果を表１に併記する。
【００５３】
［実施例３］
（ａ）アクリル系樹脂５０質量％と（ｂ-２）スチレン-無水マレイン酸共重合体５０質量％の樹脂組成物を用いた以外は、実施例１と同様にして金属酸化物積層体を得た。この金属酸化物積層体の評価結果を表１に併記する。
【００５４】
［実施例４］
クロックナー社製 Ｆ４０の射出成形機を利用し、（ａ）アクリル系樹脂５０質量％と（ｂ−１）スチレン／メタクリル酸共重合体５０質量％の組成で押出し、各樹脂について平板シート（８０×８０×２ｍｍｔ）をそれぞれ成形温度２６０℃、２７０℃で作成した。その透明樹脂基板のシート（８０×８０×２ｍｍｔ）について、市販のＪＰＣ製ハードコート液ＴＫＨ-３６Ａに、シートを浸漬し、引き上げて、紫外線を照射し、ハードコート層をシート表面に形成した。ハードコート層の膜厚は約５μｍに調整した。そして成膜前にあらかじめ真空乾燥機で６０℃、約１時間乾燥し、水分などの微量不純物を除去した。そのシート上に無機バリア層としてＳｉＯｘ（ただし、１＜ｘ≦２）膜をイオンプレーティング法により成膜した。ＳｉＯｘ膜の膜厚は約１０ｎｍに調整した。この金属酸化物積層体の評価結果を表２に併記する。
【００５５】
［実施例５］
無機バリア層として酸化窒化ケイ素膜（ＳｉＯｘＮｙ）をイオンプレーティング法により成膜した以外は、実施例４と同様にして金属酸化物積層体を得た。酸化窒化ケイ素膜の厚みは１００ｎｍであった。この金属酸化物積層体の評価結果を表２に併記する。
【００５６】
［実施例６、７および比較例２、３］
クロックナー社製 Ｆ４０の射出成形機を利用し、（ａ）アクリル系樹脂ならびに（ａ）アクリル系樹脂と（ｂ−１）スチレン／メタクリル酸共重合体を各々任意の組成で押出し、各樹脂について平板（８０×８０×２ｍｍｔ）を作成した。成形温度は２６０〜２７０℃で行った。そして成膜前にあらかじめ真空乾燥機で６０℃、約１時間乾燥し、水分などの微量不純物を除去した。各樹脂組成のシート上に、DCマグネトロンスパッタリング法により透明導電膜としてＩＴＯを製膜し、透明導電性金属酸化物積層体を得た。透明導電膜の膜厚は約４００ｎｍに調整した。また、このスパッタリングにおいては、質量比９０／１０のＩｎ2Ｏ3／ＳｎＯ2をターゲットとし、１０-3Ｐａまで排気し、体積比９２.５／７.５のアルゴン／酸素を導入ガスとし、室温下でDCマグネトロンスパッタリングを行った。成膜時間は約１０分とした。透明導電性金属酸化物積層体の評価結果を表３に併記する。
【００５７】
［実施例８および比較例４］
（ａ）アクリル系樹脂と（ｂ-２）スチレン-無水マレイン酸共重合体の各々任意の樹脂組成物を用いた以外は、実施例７、８および比較例２、３と同様にしてＩＴＯ膜の透明導電性金属酸化物積層体を得た。この透明導電性金属酸化物積層体の評価結果を表３に併記する。
【００５８】
［実施例９］
実施例１で得られたＳｉＯｘ膜の金属酸化物積層体上に実施例７、８および比較例２、３と同様にしてＩＴＯ膜の透明導電性金属酸化物積層体を得た。この透明導電性金属酸化物積層体の評価結果を表３に併記する。
【００５９】
［実施例１０］
（ａ）アクリル系樹脂２５質量％と（ｂ−１）スチレン／メタクリル酸共重合体７５質量％の組成の樹脂組成物を用いて、プラスチック工学研究所製Ｔダイ装着押出し機（ＢＴ−３０−Ｃ−３６−Ｌ型／幅４００ｍｍＴダイ装着／リップ厚０．８ｍｍ）を用いて、スクリュー回転数、押出し機のシリンダー内樹脂温度２５３℃、Ｔダイの温度２５５℃で押出し成形をすることにより未延伸フィルムを得た。
未延伸フィルムに対するフィルムの流れ（押出し方向：ＭＤ方向）一軸延伸は、市金工業社製ロール式縦延伸機を用いて行った。目標とする設定延伸倍率にするために２つのロール（低速側ロール／高速側ロール）の回転速度を変えてロール間で連続的に延伸を行った。
引続き得られた縦一軸延伸フィルムのＭＤ方向に垂直な方向（ＴＤ方向）延伸は、市金工業社製テンター式延伸機を用いて連続的に行った。延伸温度１２８℃、設定延伸倍率７０／１２０（ＴＤ方向／ＭＤ方向）にするために流れ速度２ｍ／ｍｉｎでテンターチャック間の距離を変えて延伸を行い、二軸延伸フィルムを得た。
そして実施例７、８および比較例２、３と同様にしてＩＴＯ膜の透明導電性金属酸化物積層体を得た。
この透明導電性金属酸化物積層体の全光線透過率は約７６％、レタデーションは６０ｎｍ、ＩＴＯ膜の亀裂は認められなかった。粘着テープによるＩＴＯ膜の剥離も認められず密着性は良好であった。シート抵抗値は、約１０５Ω／□であった。
【００６０】
［実施例１１］
（ａ）アクリル系樹脂５０質量％と（ｂ-２）スチレン-無水マレイン酸共重合体の樹脂組成物を用いた以外は、実施例７、８および比較例２、３と同様にしてＩＴＯ膜の透明導電性金属酸化物積層体を得た。
二軸延伸フィルムを得る際、それぞれの条件は、押出し機のシリンダー内樹脂温度２５６℃、Ｔダイの温度２５５℃、延伸温度１３３℃、設定延伸倍率５１／１９０（ＴＤ方向／ＭＤ方向）であった。
この透明導電性金属酸化物積層体の全光線透過率は約７５％、レタデーションは２５３ｎｍ、ＩＴＯ膜の亀裂は認められなかった。粘着テープによるＩＴＯ膜の剥離も認められず密着性は良好であった。シート抵抗値は、約１０９Ω／□であった。
【００６１】
［実施例１２、１３、１４］
クロックナー社製 Ｆ４０の射出成形機を利用し、（ａ）アクリル系樹脂ならびに（ａ）アクリル系樹脂と（ｂ−１）スチレン／メタクリル酸共重合体を各々任意の組成で押出し、各樹脂について平板（８０×８０×２ｍｍｔ）を作成した。成形温度は２６０〜２７０℃で行った。その透明樹脂基板のシート（８０×８０×２ｍｍｔ）について、市販のＪＰＣ製ハードコート液ＴＫＨ-３６Ａに、シートを浸漬し、引き上げて、紫外線を照射し、ハードコート層をシート表面に形成した。ハードコート層の膜厚は約５μｍに調整した。そして成膜前にあらかじめ真空乾燥機で６０℃、約１時間乾燥し、水分などの微量不純物を除去した。各樹脂組成のシート上に、DCマグネトロンスパッタリング法により透明導電膜としてＩＴＯを製膜し、透明導電性金属酸化物積層体を得た。透明導電膜の膜厚は約１２００ｎｍに調整した。また、このスパッタリングにおいては、質量比９０／１０のＩｎ2Ｏ3／ＳｎＯ2をターゲットとし、１０-3Ｐａまで排気し、体積比９２.５／７.５のアルゴン／酸素を導入ガスとし、室温下でDCマグネトロンスパッタリングを行った。成膜時間は約３０分とした。透明導電性金属酸化物積層体の評価結果を表４に併記する。
【００６２】
［実施例１５、１６び比較例４］
（ａ）アクリル系樹脂と（ｂ-２）スチレン-無水マレイン酸共重合体の各々任意の樹脂組成物を用いた以外は、実施例１３、１４、１５と同様にしてＩＴＯ膜の透明導電性金属酸化物積層体を得た。この透明導電性金属酸化物積層体の評価結果を表４に併記する。
【００６３】
［実施例１７］
実施例１で得られたＳｉＯｘ膜の金属酸化物積層体上に実施例１３、１４、１５と同様にしてＩＴＯ膜の透明導電性金属酸化物積層体を得た。この透明導電性金属酸化物積層体の評価結果を表４に併記する。
【００６４】
【表１】
2008094063.tif 000002
【００６５】
【表２】
2008094063.tif 000003
【００６６】
【表３】
2008094063.tif 000004
【００６７】
【表４】
2008094063.tif 000005
【産業上の利用可能性】
【００６８】
本発明は金属酸化物膜を形成してなる金属酸化物積層体に関するものであり、詳しくは透明導電膜を形成した透明導電性積層体、すなわち光学特性、透明導電膜密着性、抵抗値の安定性、耐熱性に優れた透明導電性積層体は、太陽電池の光電変換素子の窓電極、電磁シールドの電磁遮蔽膜、透明電波吸収体、透明タッチパネル等の入力装置の電極、液晶表示体、ＥＬ（エレクトロルミネセンス）発光体、ＥＣ（エレクトロクロミック）表示体等の透明電極などの基板を提供することが可能となる。